(57)【特許請求の範囲】
【請求項１】
配線作業具の軸部への装着部を有した本体を備え、この本体の装着部まわりに一側に開放する開口部を有したほぼコ字型、Ｃ字型の少なくとも１つのホット支持部を一体に形成し、ホット支持部の開口部にこれを開閉する閉止具を、遠隔操作を伴い閉じ位置と開き位置とに選択的に位置保持できるように設けたホット支持具において、本体は、装着部にて装着部を連結、連結解除できるように分割し、耐久予想に従い設定したメンテナンス候補部を、分割境界の両側に振り分けて配置したことを特徴とするホット支持具。
【請求項２】
本体は、分割された上側の装着部半体に、上端に開口部を有したホット支持部を、その反開口部となる下側で一体成形して備え、下側の装着部は単体で、前記一方の装着部半体へのねじ締結部を、装着部の軸線を跨ぐ両端部に持ち、これら両ねじ締結部の間に装着部が装着される配線作業具の軸部に対するねじ止め部を持った請求項１に記載のホット支持具。
【請求項３】
本体は、装着部の両側に、一対のホット支持部がそれらの開口部を避けた部分で繋がり、かつ、一方のホット支持部の閉止具を取り付けた閉止具取り付け部が他方のホット支持部の閉止具を閉じ位置に受け止める閉止具受部に繋がる本体分割片と、一方のホット支持部の他方のホット支持部の閉止具を閉止位置に受け止める閉止具受部が他方の閉止具を取り付けた閉止具取り付け部につながる本体分割片とに、装着部で分割され、一方の装着部半体の装着部の軸線を跨ぐ両側に他方の装着部半体へのねじ締結部を持ち、他方の装着部半体に装着部が装着される配線作業具の軸部に対するねじ止め部を持った請求項１に記載のホット支持具。
【請求項４】
一方のホット支持部は、装着部の上に位置して開口部が上端にあり、一方の開口端に、軸回りに開閉する閉止具と、この閉止具を軸回りに開き方向に付勢するばねと、閉止具とその閉じ位置で弾性的に係合して閉じ位置に係止する係止具とを装備し、他方の開口端に、閉止具の自由端を閉じ位置に受止める閉止具受を設け、他方のホット支持部は、装着部の下に位置して開口部が側部にあり、下方開口端に軸回りに開閉する閉止具と、この閉止具を軸回りに開き方向に付勢するばねと、閉止具とその閉じ位置で弾性的に係合して閉じ位置に係止する係止具とを装備し、上方の開口端に、閉止具の自由端を閉じ位置に受止める閉止具受を設けた請求項３に記載のホット支持具。
【発明の詳細な説明】
【技術分野】
【０００１】
本発明は、配線作業用の垂直ホット支持具に関し、詳しくは、例えば、配線が複数平行に張られていても、配線を活線状態のまま切り分けて工事区間を停電区間とする作業をするような場合に、切り分け位置の両側をホット支持具で支持しておくことで、切り分けによって切り分け端が跳ねてまわりの活線に接触するようなことを防止し、さらに、切り分け端の一方を別のホット支持具に移して他方の切り分け端から離れた位置に支持することで、切り分け端どうしが接触することもを防止するといった、配線作業時に活線を所定位置に支持しておくことで電気的安全を図る配線作業用のホット支持具に関するものである。
【背景技術】
【０００２】
このような配線作業に用いる活線切り分け工具およびそれに用いるホット支持具は、下記の特許文献１などで知られている。この活線切り分け工具は、架線の２点を掴持する２つの掴線器と、これらの掴線器間に接続されて遠隔に収縮操作されることにより、各掴線器が掴持している掴持点を互いに引き付けて架線を弛ませるホットスティックと言われる棒状張線器とを備え、緩んだ掴持点間で架線を切り分けても、架線の緊張状態を保つことができる。そこで、一方の切り離し端側を停電させた工事区間とし、他方の切り離し端側を活線状態に復帰させて非工事区間とする配線作業を行うことになる。
【０００３】
この配線作業時の電気的安全を図るために、図１に示す本発明の実施の形態に係る棒状張線器１およびそれに装着した２つのホット支持具２、３を参照して説明すると、ホット支持具２、３は棒状張線器１の途中２箇所に装着される。一方のホット支持具２は棒状張線器１の上下にホット支持部２１、２２を持ち、他方のホット支持具３は棒状張線器１の上だけにホット支持部３１を持っている。
【０００４】
当初、棒状張線器１の上にある両側のホット支持部２１、３１に切り分け対象の架線４の途中２箇所を支持させる。この途中支持のために各ホット支持部２１、２２、３１は、一側に開口部を持ったほぼＣ型の環状形をなし、開口部を閉じている閉止具を開くことで架線の途中を受入れられ、受入れ後に閉止具を閉じることで架線を保持できる。架線の２点を上側両ホット支持部２１、３１で支持した後、架線４を配線作業域の両側で掴持している両掴線器５、６間を棒状張線器１の収縮操作によって引き寄せ、架線１を仮想線のように弛ませる。
【０００５】
この状態で、上側両ホット支持部２１、３１により支持した２点間にて架線４の切り分けを行うが、各ホット支持部２１、３１は架線４を支持したままであるため両切り分け端が跳ねてまわりの架線と接触するのを防止する。次いで、一方のホット支持具２側で、上下のホット支持部２１、３１の開口部にある閉止具を開いて、上側ホット支持部２１に支持されていた一方の切り分け端４ａ側を下側ホット支持部２２に移して閉止具を閉じ、他方の切り分け端４ｂから離れた位置に支持する。これにより、切り分け端４ａ、４ｂどうしが接触し合うのを防止する。
【０００６】
特許文献１が開示しているホット支持具は、取り付け穴を棒状張線器の途中に軸線方向に嵌め合わせ、所定位置にねじ止めなどして固定するようにしている。また、閉止具は開口部をその両側に跨って閉じる閉じ位置と、開口部を開くよう片側に位置ずれた開き位置との間でスライドするスライド方式のものを採用している。閉止具の閉じ位置はホット支持部側に設けたクリック機構との弾性係合によって保持され、開き操作は遠隔操作部を介しクリック機構の弾性係合に抗して開き操作されるようにしている。
【０００７】
一方、特許文献１に記載のホット支持具は、取り付け穴を棒状張線器に軸線方向に通して装着するので、装着後メンテナンスなどのために取り外すのは、棒状張線器の両端に連結した掴線器ないしは掴線器との接続具など装備物が邪魔になり作業が煩雑になる。これに対応するのに、本出願人は、図４に示すようなホット支持具ａを開発し採用している。このホット支持具ａは、棒状張線器への装着部ｂを、ホット支持部ｃの無い側に開放し、開放した開口部ｄを通じ軸直角方向に棒状張線器に嵌め合わせた後、開口部ｄをねじ締結具ｅにより締結することで開口部ｄを狭め、棒状張線器に固定できるようにしている。なお、本例のホット支持具ａは、ホット支持部ｃの開口部ｄにスライド式の閉止具ｆを設けてあり、直進およびストローク規制を行うガイドｇに嵌め合わせて装着し、円環状の遠隔操作部ｈを設けると共に、閉止位置にはクリック機構ｊによって弾性係止されるようにしている。
【先行技術文献】
【特許文献】
【０００８】
【特許文献１】特開平８−３３１７２３号公報
【発明の概要】
【発明が解決しようとする課題】
【０００９】
ところで、図４に示すホット支持具ａのような棒状張線器への装着構造では、装着部ｂの棒状張線器への締結圧を十分確保して、強風時の架線の揺れや、このような状況下での遠隔操作上の遠隔操作具との衝突や絡みによって不用意に動いてしまうことを防止する必要がある。このため、棒状張線器やホット支持具ａの成形誤差などに対応して、締結代を十分に設定しておくことになるが、時には、締結圧が過剰になって装着部ｂが破損することもときとしてある。しかし、いずれも本体の一部に位置しているため、１箇所のメンテナンスであっても本体全体がメンテナンス対象になってしまう不利がある。
【００１０】
本発明は、そのような問題点に鑑み、配線作業具への装着部にて分割して、軸直角方向に着脱でき、この分割によって装着部や可動部を有したホット支持部を分割境界両側に振り分け、万一の場合の、メンテナンスの対象を半減させられるホット支持具を提供することを目的とする。
【課題を解決するための手段】
【００１１】
上記のような目的を達成するために、本発明のホット支持具は、配線作業具の軸部への装着部を有した本体を備え、この本体の装着部まわりに一側に開放する開口部を有したほぼコ字型、Ｃ字型の少なくとも１つのホット支持部を一体に形成し、ホット支持部の開口部にこれを開閉する閉止具を、遠隔操作を伴い閉じ位置と開き位置とに選択的に位置保持できるように設けたホット支持具において、本体は、装着部にて装着部を連結、連結解除できるように分割し、耐久予想に従い設定したメンテナンス候補部を、分割境界の両側に振り分けて配置したことを特徴とする。
【００１２】
このような構成では、ホット支持具はその本体の配線作業具への装着部で分割されているので、その連結を解除することにより、装着部は配線作業具の軸部を両側から挟むようにして沿わせ、相互を連結することにより装着でき、連結を外せば取り外せる。また、本体は、分割された装着部が締結構造上過剰な負荷を受けやすかったり、取り扱い上や使用上の不用意な外力に対し強度が不足しがちな可動部材である閉止具、その取り付け構造部、その他装備部材、付帯部材を有し、それらが必ず損傷するとは限らないものの、メンテナンス対象になる確率が高いことにつき、これらをメンテナンス候補部とし装着部での分割境界の両側に振り分け配置していることで、本体が装着部で分割された各本体分割片の双方でメンテナンス候補部が同時に損傷する確率を半減させられる。
【００１３】
上記において、さらに、本体は、分割された上側の装着部半体に、上端に開口部を有したホット支持部を、その反開口部となる下側で一体成形して備え、下側の装着部は単体で、前記一方の装着部半体へのねじ締結部を、装着部の軸線を跨ぐ両端部に持ち、これら両ねじ締結部の間に装着部が装着される配線作業具の軸部に対するねじ止め部を持ったものとすることができる。
【００１４】
このような構成では、上記に加え、さらに、ホット支持部が上端に開口部を有しているので、閉止具を開けば架線を上方から嵌め入れれば下部および両側から受けられて、閉止具が閉じられるまでに不用意に外れず、閉止具を閉じることによって開口部が塞がれるので、架線を切り分けた際に架線がどの方向に跳ねても受止められる。また、単体の装着部半体は、両側のねじ締結部がホット支持部と一体の装着部半体へのねじ締結力を受け、これらねじ締結部の間が配電作業具の軸部に対するねじ止めの反力を、前記締結力とは相反した方向に受け、ねじ締結部が単体の装着部半体の両端に位置してボリューム制限上、過剰な強度を持たせにくく、万一の場合の損傷に対するメンテナンス候補部となり、ホット支持部の閉止具やその取り付け部、閉止具に対する付勢ばねや弾性係止具といった付帯装備部もメンテナンス候補部となる。しかし、これらメンテナンス候補部が装着部の分割境界の両側に振り分け配置されて、分割境界両側のメンテナンス候補部双方が同時に損傷する確率を半減させられる。
【００１５】
上記において、さらに、本体は、装着部の両側に、一対のホット支持部がそれらの開口部を避けた部分で繋がり、かつ、一方のホット支持部の閉止具を取り付けた閉止具取り付け部が他方のホット支持部の閉止具を閉じ位置に受け止める閉止具受部に繋がる本体分割片と、一方のホット支持部の他方のホット支持部の閉止具を閉止位置に受け止める閉止具受部が他方の閉止具を取り付けた閉止具取り付け部につながる本体分割片とに、装着部で分割され、一方の装着部半体の装着部の軸線を跨ぐ両側に他方の装着部半体へのねじ締結部を持ち、他方の装着部半体に装着部が装着される配線作業具の軸部に対するねじ止め部を持ったものとすることができる。
【００１６】
このような構成では、上記に加え、さらに、各装着部半体は共に、分割された２つの領域に繋がっていて、過剰な外力に耐えるボリュームが得られるのでメンテナンス候補部とする必要は無いが、閉止具やその取り付け部、閉止具に対する付勢ばねや弾性係止具といった付帯装備部もメンテナンス候補部となるところ、これらが、本体の装着部での分割境界の両側の本体分割片に振り分け配置されて、両領域のメンテナンス候補が同時に損傷する確率を半減させられる。
【００１７】
上記において、さらに、一方のホット支持部は、装着部の上に位置して開口部が上端にあり、一方の開口端に、軸回りに開閉する閉止具と、この閉止具を軸回りに開き方向に付勢するばねと、閉止具とその閉じ位置で弾性的に係合して閉じ位置に係止する係止具とを装備し、他方の開口端に、閉止具の自由端を閉じ位置に受止める閉止具受を設け、他方のホット支持部は、装着部の下に位置して開口部が側部にあり、下方開口端に軸回りに開閉する閉止具と、この閉止具を軸回りに開き方向に付勢するばねと、閉止具とその閉じ位置で弾性的に係合して閉じ位置に係止する係止具とを装備し、上方の開口端に、閉止具の自由端を閉じ位置に受止める閉止具受を設けたものとすることができる。
【００１８】
上記に加え、さらに、上側のホット支持部が上端に開口部を有しているので、閉止具を開けば架線を上方から嵌め入れれば下部および両側から受けられて、閉止具が閉じられるまでに不用意に外れず、閉止具が閉じることによって開口部が塞がれるので、架線を切り分けた際に架線がどの方向に跳ねても受止められる。また、下側のホット支持部が側方に開口部を有しているので、上側のホット支持部から架線を移し入れるのに、架線を下側のホット支持部を下方に潜らせること無く移し入れられる。同時に、下側のホット支持部の開口部の下方開口端の軸まわりに閉止具を開閉させるので、その開き位置が側方への張り出し側になり、上側のホット支持部から移してくる架線を下方から受止めて脱落させず、かつ下側のホット支持部への移し入れの案内をすることができる。
【発明の効果】
【００１９】
本発明のホット支持具によれば、本体がその配線作業具への装着部で分割されていて、互いの連結解除状態で配線作業具の軸部に装着部半体どうしを両側から沿わせてから互いを連結することにより簡易に装着し、また連結解除により簡易に取り外せる。同時に、この装着部の分割による着脱構造を特異に利用した、メンテナンス対象になる確率が高いことに対応して設定したメンテナンス候補部を、装着部での分割境界両側の本体分割片への振り分け配置により、各本体分割片双方でメンテナンス候補部が同時に損傷する確率を半減させられ、メンテナンスを行うにも各本体分割片の一方のみが対象となり、メンテナンス対象側を交換するにも手間が掛からないし物品費用が半減し、部分補修するにもメンテナンス非対象側は対象側を手間無く交換するだけで継続して使用に供することができる。
【００２０】
上記に加え、さらに、ホット支持部が上端に開口部を有して架線を上方から嵌め入れれば下部、両側から受けられて不用意に外れず、閉止具を閉じると、架線を切り分けた際に架線がどの方向に跳ねても受止めて電気的安全を図りやすい。また、単体となる装着部半体が両側ねじ締結部とそれらの間のねじ止め部に真逆の力が働き、ボリューム制限上メンテナンス候補部となり、ホット支持部の閉止具やその取り付け部、閉止具に対する付勢ばねや弾性係止具といった付帯装備部もメンテナンス候補部となるのを、これらの装着部の分割境界の両側への振り分け配置により、両振り分け側のメンテナンス候補部双方が同時に損傷する確率を半減させられ、メンテナンスを行うにも各本体分割片の一方のみが対象となり、メンテナンス対象側を交換するにも手間が掛からないし物品費用が半減し、部分補修するにもメンテナンス非対象側は対象側を手間無く交換して継続使用に供することができる。
【００２１】
上記に加え、さらに、各装着部半体が分割された各本体分割片に繋げてメンテナンス候補部とする必要をなくすことができ、閉止具やその取り付け部、閉止具に対する付勢ばねや弾性係止具といった付帯装備部もメンテナンス候補部となるのを、これを両側の本体分割片に振り分け配置して、双方のメンテナンス候補が同時に損傷する確率を半減させられ、メンテナンスを行うにも各本体分割片の一方のみが対象となり、対象側を交換するにも手間が掛からないし物品費用が半減し、部分補修するにも非対象側は対象側を手間無く交換して継続使用に供することができる。
【００２２】
上記に加え、さらに、上側のホット支持部が上端に開口部を有して架線を上方から嵌め入れれば下部、両側から受けられて不用意に外れず、閉止具を閉じると架線を切り分けた際に架線がどの方向に跳ねても受止め電気的安全が図りやすい。また、下側のホット支持部が側方に開口部を有し上側のホット支持部からの架線の移し入れが、下側のホット支持部を下方に潜らない小さな引き回し径路で簡易に達成できる。同時に、下側のホット支持部の閉止具の閉じ位置が下方開口端から側方への張り出し側になって、上側から移してくる架線を下方から受止めて脱落させず、かつ下側のホット支持部への移し入れの案内をするので、前記移し入れが容易かつ迅速に失敗なく達成できる。
【図面の簡単な説明】
【００２３】
【図１】本発明の実施の形態に係るホット支持具を装備した配線作業具を示す側面図である。
【図２】同作業具の軸部への装着部の両側にホット支持部を持ったホット支持具の１つの例を示す、正面図、側面図、平面図である。
【図３】同作業具の軸部への装着部の片側にホット支持部を持ったホット支持具の１つの例を示す、正面図、平面図である。
【図４】従来の配線作業具の軸部への装着部の片側にホット支持部を持ったホット支持具の１つの例を示す、正面図である。
【発明を実施するための形態】
【００２４】
本発明の実施の形態に係るホット支持具の幾つかの具体例につき、図１〜図３を参照しながら説明し、本発明の理解に供する。以下の説明は本発明の具体例であって、特許請求の範囲の記載事項を限定するものではない。
【００２５】
図１〜図３に示す本実施の形態のホット支持具２、３は、共通して、配線作業具としての記述した棒状張線器１の軸部１１への装着部２３、３３を有した本体２４、３４を備え、この本体２４、３４の装着部２３、３３まわりに、図２、図３に示すように一側に開放する開口部１２を有したほぼコ字型、Ｃ字型の少なくとも１つのホット支持部を一体に形成する。図示例では、架線４の切り分けを既述の手順で行う棒状張線器１に装着して用いるために、一方のホット支持具２は装着部２３の上下にホット支持部２１、２２を持ち、他方のホット支持具３は装着部３３の上だけにホット支持部３１を持ったものとしている。しかし、これに限られることはなく、手順の違いや切り分け以外の配線作業などに応じてホット支持部の数や形態を種々に変更することができる。また、それらホット支持部２１、２２、３１の開口部１２には、これを開閉する閉止具１０を、遠隔操作を伴い図２、図３に実線で示す閉じ位置と図２で代表して仮想線で示す開き位置とに選択的に位置保持できるように設けている。
【００２６】
いずれにしても、記述の目的を達成するために、ホット支持具２やホット支持具３など各種のものにおいて、本体２４、３４などには、装着部２３、３３にて装着部を連結、連結解除できるように分割し、耐久予想に従い設定したメンテナンス候補部１４を、分割境界１５の両側に振り分けて配置している。
【００２７】
以上により、ホット支持具２、３はその本体２４、３４の配線作業具としての棒状張線器１への装着部２３、３３で分割されているので、その連結を解除することにより、装着部２３、３３は棒状張線器１の軸部１１を図２、図３に示すように両側から挟むようにして沿わせ、相互を連結することにより装着でき、連結を外せば取り外せる。また、本体２４、３４は、分割された装着部２３、３３が締結構造上過剰な負荷を受けやすかったり、取り扱い上や使用上の不用意な外力に対し強度が不足しがちな可動部材である閉止具１０、その取り付け構造部、その他装備部材、付帯部材を有し、それらが必ず損傷するとは限らないものの、メンテナンス対象になる確率が高いことにつき、これらをメンテナンス候補部１４とし装着部２３、３３での分割境界１５の両側に振り分け配置していることで、本体２４、３４が装着部２３、３３で分割された各本体分割片２４ａ、２４ｂの双方、および各本体分割片３４ａ、３４ｂの双方で、メンテナンス候補部１４が同時に損傷する確率を半減させられる。
【００２８】
この結果、本体２４、３４がその配線作業具としての棒状張線器１への装着部２３、３３で分割されていて、互いの連結解除状態で棒状張線器１の軸部１１に装着部半体２３ａ、２３ｂどうし、および３３ａ、３３ｂどうしを両側から沿わせてから互いを連結することにより簡易に装着し、また連結解除により簡易に取り外せる。同時に、この装着部２３、３３の分割による着脱構造を特異に利用した、メンテナンス対象になる確率が高いことに対応して設定したメンテナンス候補部１４を、装着部２３、３３での分割境界１５両側の本体分割片２４ａ、２４ｂどうし、本体分割片３４ａ、３４ｂどうし、への振り分け配置により、各本体分割片２４ａ、２４ｂ双方、本体分割片３４ａ、３４ｂ双方、でメンテナンス候補部１４が同時に損傷する確率を半減させられ、メンテナンスを行うにも各本体分割片２４ａ、３４ａの一方のみが対象となり、対象側を交換するにも手間が掛からないし物品費用が半減し、部分補修するにも非対象側は対象側を手間無く交換するだけで継続して使用に供することができる。
【００２９】
図２に示す例のホット支持具２では、本体２４は、装着部２３の両側に、一対のホット支持部２１、２２がそれらの開口部１２を避けた部分で繋がり、かつ、一方のホット支持部２１の閉止具１０を取り付けた閉止具取り付け部１６が他方のホット支持部２２の閉止具１０を閉じ位置に受け止める閉止具受部１７に繋がる本体分割片２４ａと、一方のホット支持部２１の他方のホット支持部２２の閉止具１０を閉止位置に受け止める閉止具受部１７が他方の閉止具１０を取り付けた閉止具取り付け部１６につながる本体分割片２４ｂとに、装着部２３で分割され、一方の装着部半体２３ａの装着部２３の軸線を跨ぐ両側に他方の装着部半体２３ｂへのねじ１８ａによるねじ締結部１８、１８を持ち、他方の装着部半体２３ｂに装着部２３が装着される棒状張線器１の軸部１１に対するねじ１９ａによるねじ止め部１９を持ったものとしている。
【００３０】
これにより、各装着部半体２３ａ、２３ｂは共に、本体２４が分割された２つの本体分割片２４ａ、２４ｂに繋がっていて、過剰な外力に耐えるボリュームが得られるのでメンテナンス候補部１４とする必要は無い。しかし、閉止具１０やその取り付け部、閉止具１０に対する付勢ばねや弾性係止具といった付帯装備部もメンテナンス候補部１４となるところ、これらが、本体２４の装着部２３での分割境界１５の両側の本体分割片２４ａ、２４ｂに振り分け配置されて、両本体分割片２４ａ、２４ｂのメンテナンス候補部１４が同時に損傷する確率を半減させられる。
【００３１】
したがって、各装着部半体２３ａ、２３ｂが分割された各本体分割片２４ａ、２４ｂに繋げてメンテナンス候補部１４とする必要をなくすことができ、閉止具１０やその閉止具取り付け部１６、閉止具１０に対する付勢ばねや弾性係止具といった付帯装備部もメンテナンス候補部１４となるのを、これを両側の本体分割片２４ａ、２４ｂに振り分け配置して、双方のメンテナンス候補部１４が同時に損傷する確率を半減させられ、メンテナンスを行うにも各本体分割片２４ａ、２４ｂの一方のみが対象となり、メンテナンス対象側を交換するにも手間が掛からないし物品費用が半減し、部分補修するにもメンテナンス非対象側は対象側を手間無く交換して継続使用に供することができる。
【００３２】
さらに、一方のホット支持部２１は、装着部２３の上に位置して開口部１２が上端にあり、一方の開口端１２ａを閉止具取り付け部１６として、軸２５回りに開閉する閉止具１０と、この閉止具１０を軸２５回りに開き方向に付勢するばね２６と、閉止具１０とその閉じ位置で弾性的に係合して閉じ位置に係止する弾性係止具２７とを装備し、他方の開口端１２ｂに、閉止具１０の自由端１０ａを閉じ位置に受止める閉止具受部１７を設け、他方のホット支持部２２は、装着部２３の下に位置して開口部１２が側部にあり、下方開口端１２ｃを閉止具取り付け部１６として、軸２５回りに開閉する閉止具１０と、この閉止具１０を軸２５回りに開き方向に付勢するばね２６と、閉止具１０とその閉じ位置で弾性的に係合して閉じ位置に係止する弾性係止具２７とを装備し、上方の開口端１２ｄに、閉止具１０の自由端１０ａを閉じ位置に受止める閉止具受部１７を設けたものとしている。
【００３３】
これにより、上側のホット支持部２１が上端に開口部１２を有しているので、閉止具１０を開けば架線４を上方から嵌め入れれば下部および両側から受けられて、閉止具１０が閉じられるまでに不用意に外れず、閉止具１０が閉じることによって開口部１２が塞がれるので、架線４を切り分けた際に架線４がどの方向に跳ねても受止められる。また、下側のホット支持部２２が側方に開口部１２を有しているので、上側のホット支持部２１から架線４を移し入れるのに、架線４を下側のホット支持部２２を下方に潜らせること無く移し入れられる。同時に、下側のホット支持部２２の開口部１２の下方開口端１２ｄの軸２５まわりに閉止具１０を開閉させるので、その開き位置が図１に仮想線で示す側方への張り出し側になり、上側のホット支持部２１から移してくる架線４を下方から受止めて脱落させず、かつ下側のホット支持部２２への移し入れの案内をすることができる。
【００３４】
したがって、上側のホット支持部２１が上端に開口部１２を有して架線４を上方から嵌め入れれば下部、両側から受けられて不用意に外れず、閉止具１０を閉じると架線４を切り分けた際に架線４がどの方向に跳ねても受止め電気的安全が図りやすい。また、下側のホット支持部２２が側方に開口部１２を有し上側のホット支持部２１からの架線４の移し入れが、下側のホット支持部２２を下方に潜らない小さな引き回し径路で簡易に達成できる。同時に、下側のホット支持部２２の閉止具１０の閉じ位置が下方開口端１２から側方への張り出し側になって、上側から移してくる架線４を下方から受止めて脱落させず、かつ下側のホット支持部２２への移し入れの案内をするので、前記移し入れが容易かつ迅速に失敗なく達成できる。
【００３５】
さらに詳述すると、閉止具取り付け部１６は、開口端１２ａ、１２ｃに、開口端１２ｂ、１２ｄ側に開放した凹部１６ａ内に閉止具１０の基部を受け入れて軸２５により開閉できるように取り付けている。ばね２６は、ブリッジ部２６ａで繋がった両側蔓巻き部２６ｂ、２６ｃを有し、ブリッジ部２６ａが図２（ａ）に示すように閉止具１０の自由端１０ａ側に掛けられて、両側蔓巻き部２６ｂ、２６ｃが閉止具１０の基部両側で軸２５まわりに位置して、それらの端部２６ｄ、２６ｅが開口端１２ａ、１２ｄに掛けられて閉止具１０を開き方向に付勢している。
【００３６】
弾性係止具２７は、開口端１２ａ、１２ｃの凹部１６ａの背部からねじ込んで固定した本体２７ａに、これを外部から凹部１６ａ内に貫通し、外端側への抜け止めと図示しないばねによる凹部１６ａ側への突出習性を付与されたロックピン２７ｂとを有し、閉止具１０が実線で示す閉じ位置とされたとき、その基部外周に設けられた係合凹部１０ｂにロックピン２７ｂが弾性係合することで、閉止具１０を閉じ位置に係止する。従って、開口端１２ｂ、１２ｄの閉止具受部１７側に係止具が不要となる。つまり、閉止具取り付け部１６にメンテナンス候補部１４となる閉止具１０およびそれに必要な付帯装備物品を集約配置でき、閉止具受部１７側がメンテナンス候補部１４になるのを回避できる。ロックピン２７ｂの後端には操作リング２７ｃが設けられており、この操作リング２７ｃによりロックピン２７ｂをばねに抗して外方へ引くことで、閉止具１０に対する係止を解き、閉止具１０がばね２６の付勢によって自動的に開かせられる。閉止具１０の閉じるには閉止具１０自体をばね２６に抗して閉じ側に回動させればよく、閉じ位置になると弾性係止具２７によって自動的に弾性係止される。
【００３７】
これに対応して、閉止具受部１７は閉止具１０の自由端１０ａを振れなく閉じ位置に受止められるだけの形態を満足すればよく、図示例では二股形態として閉止具１０の自由端１０ａを受け入れ閉じ位置に受止めるようにしている。閉止具１０は軸２５による取り付けにおいて、閉止具１０基部両側で軸２５まわりに嵌め合わせたスペーサ２９、２９を閉止具１０基部の両面に圧接させることで閉止具１０の振れを抑えるようにしている。一方、閉止具受部１７の二股形態は、閉止具１０の自由端１０ａをスムーズに受け入れるために図２（ｃ）に示すような小さな隙間Ｓができる間隔に設定され、自由端１０ａが隙間Ｓを超えた振れ位置で閉じられてきても受け入れられるように二股形態の受入れ口両側に面取り部１７ａを形成している。
【００３８】
また、図３に示すホット支持具３は、本体３４が、分割された上側の装着部半体３３ａに、上端に開口部１２を有したホット支持部３１を、その反開口部となる下側で一体成形して備え、下側の装着部半体３３ｂは単体で、前記一方の装着部半体３３ａへのねじ３５ａによるねじ締結部３５、３５を、装着部３３の軸線を跨ぐ両端部に持ち、これら両ねじ締結部３５、３５の間に装着部３３が装着される棒状張線器１の軸部１１に対するねじ３６ａによるねじ止め部３６を持ったものとしてある。
【００３９】
これにより、ホット支持部３１が上端に開口部１２を有しているので、前記ホット支持部２１と同様に、閉止具１０を開けば架線４を上方から嵌め入れれば下部および両側から受けられて、閉止具１０が閉じられるまでに不用意に外れず、閉止具１０を閉じることによって開口部１２が塞がれるので、架線４を切り分けた際に架線４がどの方向に跳ねても受止められる。また、単体の装着部半体３３ｂは、両側のねじ締結部３５、３５がホット支持部３１と一体の装着部半体３３ａへのねじ締結力を受け、これらねじ締結部３５、３５の間が棒状張線器１の軸部１１に対するねじ止めの反力を、前記締結力とは相反した方向に受け、ねじ締結部３５、３５が単体の装着部半体３３ａの両端に位置してボリューム制限上、過剰な強度を持たせにくく、万一の場合の損傷に対するメンテナンス候補部１４となり、ホット支持部３１の閉止具１０やその閉止具取り付け部１６、この閉止具１０に対する既述のホット支持部２１、２２の場合と同一符号を付して示す全く同様の付勢ばねや弾性係止具といった付帯装備部もメンテナンス候補部１４となる。しかし、この場合も、これらメンテナンス候補部１４が装着部３３の分割境界１５の両側に振り分け配置されて、分割境界１５両側のメンテナンス候補部１４双方が同時に損傷する確率を半減させられる。
【００４０】
したがって、ホット支持部３１が上端に開口部１２を有して架線４を上方から嵌め入れれば下部、両側から受けられて不用意に外れず、閉止具１０を閉じると、架線４を切り分けた際に架線４がどの方向に跳ねても受止めて電気的安全を図りやすい。また、単体となる装着部半体３３ａが両側ねじ締結部３５、３５とそれらの間のねじ３６ａによるねじ止め部３６に真逆の力が働き、ボリューム制限上メンテナンス候補部１４となり、ホット支持部３１の閉止具１０やその閉止具取り付け部１６、閉止具１０に対する付勢ばねや弾性係止具といった付帯装備部もメンテナンス候補部１４となるのを、これらの装着部３３の分割境界１５の両側への振り分け配置により、両振り分け側のメンテナンス候補部１４双方が同時に損傷する確率を半減させられ、メンテナンスを行うにも各本体分割片３４ａ、３４ｂの一方のみが対象となり、メンテナンス対象側を交換するにも手間が掛からないし物品費用が半減し、部分補修するにもメンテナンス非対象側はメンテナンス対象側を手間無く交換して継続使用に供することができる。
【００４１】
さらに、ねじ止め部３６は、軸部１１に対し二方向からねじ止めするようにしてある。具体的には、二方向間の角度は４５°としてある。しかし、これに限られることは無く、角度は自由であるし、ねじ止めは一方向からでもよい。二箇所のねじ締結部３５、ねじ止め部３６は、装着部３３の分割境界１５線上の装着部３３中心位置に対して等距離の位置としてそれらの締結力およびねじ止め力がバランスよく働き合えるようにするのがよい。同じ理由でねじ止め部３６が一箇所であれば、分割境界１５線上の装着部３３中心位置とするのが好適となる。
【００４２】
なお、軸部１１は樹脂、例えばＦＲＰ製で、ねじ１９ａ、３６ａの端面が軸直角の平面であっても軸部１１に押圧させれば、軸部１１側が幾分なじんで面圧状態となるので、回り止め効果が発揮される。因みに、本体２４、３４はアルミニウム製、閉止具１０やねじ１８ａ、１９ａ、３５ａ、３６ａ、弾性係止具２７はステンレス鋼製として防錆性を持たせている。
【産業上の利用可能性】
【００４３】
本発明は、配電作業上活線状態の架線をホット支持するのに実用されるホット支持具に適用して、メンテナンス候補部が複数あっても、メンテナンスの手間、部品費用を低減できる。
【符号の説明】
【００４４】
１  棒状張線器
２、３  ホット支持具
２１、２２、３１  ホット支持部
２３、３３  装着部
２３ａ、２３ｂ、３３ａ、３３ｂ  装着部半体
２４、３４  本体
２４ａ、２４ｂ、３４ａ、３４ｂ  本体分割片
１０  閉止具
１１  軸部
１２  開口部
１２ａ、１２ｂ、１２ｃ、１２ｄ  開口端
１４  メンテナンス候補部
１５  分割境界
１６  閉止具取り付け部
１７  閉止具受部
１８、３５  ねじ締結部
１９、３６  ねじ止め部
２５  軸
２６  ばね
２７  弾性係止具
【図１】
0005523925.tif 000002
【図２】
0005523925.tif 000003
【図３】
0005523925.tif 000004
【図４】
0005523925.tif 000005